(57)【特許請求の範囲】
【請求項１】
画像を画像データに変換し出力する単一の撮像部と、
上記画像データに基づいて上記画像を表示する表示部と、
水中および水上の両方の画像を取得するために上記単一の撮像部が半水中の状態になっているかを検知する検知部と、
上記検知部の検知結果に応じて、半水中の状態になっている上記単一の撮像部が上記水中および水上の両方の画像を撮影するためのタイミングを決定するタイミング決定部と、
を有することを特徴とする撮影装置。
【請求項２】
上記検知部は、上記画像データに基づいて、水面によって生ずる画像の乱れを検知することを特徴とする請求項１に記載の撮影装置。
【請求項３】
上記検知部は、上記画像の乱れを検知するにあたって、上記画像を含む画面の中央部にローコンラスト領域があり、かつこのローコントラスト領域が上記画面を横断する場合に、半水中と判定し、
上記タイミング決定部は、上記検知部によって半水中と判定された際に上記撮影または表示のタイミングを決定する、
ことを特徴とする請求項２に記載の撮影装置。
【請求項４】
上記検知部は、光センサによって水面の位置を検知することを特徴とする請求項１に記載の撮影装置。
【請求項５】
上記画像を形成するためのレンズを有し、
上記検知部は、上記レンズの周囲に設けた複数対の投受光センサの出力に基づいて、上記水面の位置を検知することを特徴とする請求項４に記載の撮影装置。
【請求項６】
上記タイミング決定部によって決定されたタイミングで表示した際の画像データを仮記憶する仮記憶部を有し、
上記タイミング決定部によって決定されたタイミング以外の期間においては、上記仮記憶部に記憶された上記画像データに基づいて、上記表示を行うことを特徴とする請求項１に記載の撮影装置。
【請求項７】
被写体像を画像データに変換し出力する単一の撮像部と、
上記単一の撮像部の画像データに基づいて、水中および水上の両方の被写体像が同時に存在するかを検知する検知部と、
上記検知部の検知結果に応じて、上記単一の撮像部によって上記水中および水上の被写体像を撮影するための撮影のタイミングを決定するタイミング決定部と、
上記タイミング決定部によって決定されたタイミングで、上記画像データを記録する記録制御部と、
を有することを特徴とする撮影装置。
【請求項８】
レンズによって形成された画像を画像データに変換し出力する単一の撮像部と、
上記画像データに基づいて上記画像を表示する表示部と、
水面に波があるか否かを検知する検知部と、
上記検知部によって水面に波があると検知された際に、半水中の状態になっている上記単一の撮像部が水中および水上の両方の画像を撮影するためのタイミングを決定するタイミング決定部と、
上記タイミング決定部によって決定されたタイミングにおいて取得した上記画像データに基づいて上記表示部に上記画像を表示させる表示制御部と、
を有することを特徴とする表示装置。
【発明の詳細な説明】
【技術分野】
【０００１】
本発明は、撮影装置および表示装置に関し、詳しくは、半水中状態において撮影および表示可能な撮影装置および表示装置に関する。
【背景技術】
【０００２】
近年、カメラなどの携帯機器においては、防水機能を向上させており、水中に落としても動作可能なカメラも多数提供されており、さらに水中での利用を可能としたカメラも増えている。水中での撮影は、陸上では見ることができないような写真を撮影することができ、水中撮影を楽しむユーザも増加している。
【０００３】
しかし、水辺で撮影する際に、水中のみの撮影の他に水中と水上の両方を同時に撮影できれば、さらにバラエティに富んだ撮影が可能となる。しかし、現状の水中カメラは、両方を同時に撮影することに適しておらず、特に、波のある水面では、水中と水上を同時に観察したり撮影することは困難であった。
【０００４】
特許文献１には、水面上の被写体を自動的に抽出するオブジェクト抽出型ＴＶカメラが開示されている。また、特許文献２には、被写体がリラックスしたタイミングで撮影できるように、所定時間後に画像を取得するようにしたデジタルカメラが開示されている。
【先行技術文献】
【特許文献】
【０００５】
【特許文献１】特開２００２−７７８９７号公報
【特許文献２】特開２００５−２１５６８４号公報
【発明の概要】
【発明が解決しようとする課題】
【０００６】
特許文献１に開示のＴＶカメラは、水面上の被写体を抽出するが水上と水中を同時に撮影し、また観察のために表示することについては何ら開示されていない。特許文献２に開示のデジタルカメラには、撮影のタイミングを決めることが開示されているが、水上と水中を同時に撮影し、また観察のために表示することについては何ら開示されていない。
【０００７】
本発明は、このような事情を鑑みてなされたものであり、水面に波のある状態であっても、水中と水上の両方を表示し、また水中と水上の両方を撮影することが可能な撮影装置および表示装置を提供することを目的とする。
【課題を解決するための手段】
【０００８】
上記目的を達成するため第１の発明に係わる撮影装置は、画像を画像データに変換し出力する単一の撮像部と、上記画像データに基づいて上記画像を表示する表示部と、水中および水上の両方の画像を取得するために上記単一の撮像部が半水中の状態になっているかを検知する検知部と、上記検知部の検知結果に応じて、半水中の状態になっている上記単一の撮像部が上記水中および水上の両方の画像を撮影するためのタイミングを決定するタイミング決定部と、を有する。
【０００９】
第２の発明に係わる撮影装置は、上記第１の発明において、上記検知部は、上記画像データに基づいて、水面によって生ずる画像の乱れを検知する。
第３の発明に係わる撮影装置は、上記第２の発明において、上記検知部は、上記画像の乱れを検知するにあたって、上記画像を含む画面の中央部にローコンラスト領域があり、かつこのローコントラスト領域が上記画面を横断する場合に、半水中と判定し、上記タイミング決定部は、上記検知部によって半水中と判定された際に上記撮影または表示のタイミングを決定する。
【００１０】
第４の発明に係わる撮影装置は、上記第１の発明において、上記検知部は、光センサによって水面の位置を検知する。
第５の発明に係わる撮影装置は、上記第４の発明において、上記画像を形成するためのレンズを有し、上記検知部は、上記レンズの周囲に設けた複数対の投受光センサの出力に基づいて、上記水面の位置を検知する。
【００１１】
第６の発明に係わる撮影装置は、上記第１の発明において、上記タイミング決定部によって決定されたタイミングで表示した際の画像データを仮記憶する仮記憶部を有し、上記タイミング決定部によって決定されたタイミング以外の期間においては、上記仮記憶部に記憶された上記画像データに基づいて、上記表示を行う。
【００１２】
第７の発明に係わる撮影装置は、被写体像を画像データに変換し出力する単一の撮像部と、上記単一の撮像部の画像データに基づいて、水中および水上の両方の被写体像が同時に存在するかを検知する検知部と、上記検知部の検知結果に応じて、上記単一の撮像部によって上記水中および水上の被写体像を撮影するための撮影のタイミングを決定するタイミング決定部と、上記タイミング決定部によって決定されたタイミングで、上記画像データを記録する記録制御部と、を有する。
【００１３】
第８の発明に係わる表示装置は、レンズによって形成された画像を画像データに変換し出力する単一の撮像部と、上記画像データに基づいて上記画像を表示する表示部と、水面に波があるか否かを検知する検知部と、上記検知部によって水面に波があると検知された際に、半水中の状態になっている上記単一の撮像部が水中および水上の両方の画像を撮影するためのタイミングを決定するタイミング決定部と、上記タイミング決定部によって決定されたタイミングにおいて取得した上記画像データに基づいて上記表示部に上記画像を表示させる表示制御部と、を有する。
【発明の効果】
【００１４】
本発明によれば、水面に波のある状態であっても、水中と水上の両方を表示し、また水中と水上の両方を撮影することが可能な撮影装置および表示装置を提供することができる。
【図面の簡単な説明】
【００１５】
【図１】本発明の第１実施形態に係わるカメラの電気的構成を示すブロック図である。
【図２】本発明の第１実施形態に係わるカメラにおいて、半水中モードで被写体を撮影する場合の撮影画像を示す。
【図３】本発明の第１実施形態に係わるカメラにおいて、水上と水中を同時に撮影する際のピント位置の関係を説明する図である。
【図４】本発明の第１実施形態に係わるカメラにおいて、ピント調節を説明する図であり、水上の被写体に対するピント位置よりも撮影レンズを繰り出す様子を示す撮影レンズの光路に沿った断面図である。
【図５】本発明の第１実施形態に係わるカメラにおいて、水面に波がある場合における撮影レンズの光路に沿った断面図である。
【図６】本発明の第１実施形態に係わるカメラにおいて、水面に波がある場合における半水中撮影の様子を示し、（ａ）は水面の波によって下側の光線がカメラに達しない場合を示し、（ｂ）は撮影画像の下半分が見えない様子を示す図である。
【図７】本発明の第１実施形態に係わるカメラにおいて、水面に波がある場合における半水中撮影の様子を示し、（ａ）は水面の波によって上側の光線がカメラに達しない場合を示し、（ｂ）は撮影画像の上半分が見えない様子を示す図である。
【図８】本発明の第１実施形態に係わるカメラにおいて、水面に波がある場合における半水中撮影の様子を示し、（ａ）は水面に波がある場合でも水中と水上の両方の光線がカメラに達する場合を示し、（ｂ）は水上と水中の両方の撮影画像を示す。
【図９】本発明の第１実施形態に係わるカメラの撮影の動作を示すフローチャートである。
【図１０】本発明の第１実施形態に係わるカメラの半水中判別の動作を示すフローチャートである。
【図１１】本発明の第２実施形態に係わる携帯電話において、半水中で画像を観察する様子を示す図である。
【図１２】本発明の第２実施形態に係わる携帯電話において、表示部に表示される画像を示し、（ａ）〜（ｃ）は水面の波の揺らぎ状態に応じて画像が変化することを示す。
【図１３】本発明の第２実施形態に係わる携帯電話の表示制御の動作を示すフローチャートである。
【図１４】本発明の第３実施形態に係わるカメラの構成を示し、（ａ）は正面側から見た外観斜視図であり、（ｂ）は撮影レンズの周辺に設けられたセンサを示す斜視図であり、（ｃ）はセンサの配置関係を示す図である。
【図１５】本発明の第３実施形態に係わるカメラにおいて、撮影レンズとセンサ部の配置関係の変形例を示す図である。
【図１６】本発明の第３実施形態に係わるカメラにおいて、半水中で撮影する様子を示す図である。
【図１７】本発明の第３実施形態に係わるカメラの半水中判別撮影の動作を示すフローチャートである。
【図１８】本発明の第1実施形態に係わるカメラにおいて、半水中判別の変形例を説明する図である。
【図１９】本発明の第１実施形態に係わるカメラの半水中判別の変形例の動作を示すフローチャートである。
【発明を実施するための形態】
【００１６】
以下、図面に従って本発明を適用したカメラを用いて好ましい実施形態について説明する。本発明の好ましい実施形態に係わるカメラは、防水機構を有しており、水中に有る場合でもカメラ本体に浸水することなく、カメラ機能が動作する。また、このカメラは撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。レリーズ操作時には、静止画や動画の画像データを記録媒体に記録し、このとき併せて撮影日時、撮影モード等の情報を記録する。また、記録媒体に記録した撮影画像は、再生モードを選択すると、表示部に再生表示することができる。
【００１７】
図１は、本発明の第１実施形態に係わるカメラ１０の電気回路を示すブロック図である。カメラ１０は、デジタルカメラであり、制御部１、撮像部２、ピント合わせ部２ａ、センサ部３、記録部４、ストロボ部５、操作判定部６、加速度検知部７、表示部８、時計部９等から構成される。
【００１８】
撮像部２は、ズーム機能を有する撮影レンズ（ズームレンズ）や、シャッタ・絞り等の露出制御部、撮像素子、撮像素子の駆動及び読出回路等を含み、撮影レンズによって形成された被写体像を撮像素子によって画像データに変換し、これを出力する。ピント合わせ部２ａは、撮影レンズのピント合わせ機構を有し、画像処理及び制御部１のピント制御部１ｃからの制御信号に基づいて自動焦点調節を行う。センサ部３は、撮像部２の撮影レンズが水中と水上の境目付近にあることを検知するセンサである。ストロボ部５は、被写体に照明光を照射する。
【００１９】
画像処理及び制御部１は、不図示の記憶部に記憶されているプログラムに従ってカメラ１０の全体のシーケンスを制御する。また、画像処理及び制御部１は、画像変換部１ａ、表示制御部１ｂ、ピント制御部１ｃ、距離換算部１ｄ、半水中判定部１ｅを有する。画像変換部１ａは、撮像部２から出力される画像データを縮小画像の画像データに変換する。また、表示制御部１ｂは、表示部８に画像データに基づく画像を表示するにあたって表示範囲の制御を行う。
【００２０】
ピント制御部１ｃは、撮像部２から出力される画像データの高周波成分を抽出し、所謂コントラスト法に基づいてピント合わせ部２ａに制御信号を出力する。距離換算部１ｄは、水中における被写体は水上における被写体に対して、水の屈折率１．３３の逆数分だけ近くなることから、水の屈折率を考慮した被写体距離を換算する。半水中判定部１ｅは、カメラ１０の撮影レンズが水上と水中の両方の画像を撮影状態または観察状態になっているか否かを判定する。本実施形態においては、撮像部２から出力される画像データに基づいて判定する。
【００２１】
この他、画像処理及び制御部１は、撮像部２から出力される画像データを取り込み、間引き処理、リサイズ処理、切り出し処理、エッジ強調、色補正、画像圧縮等の種々の画像処理を行い、記録部６における静止画および動画の記録用、静止画および動画の再生表示用等の画像処理を行う。
【００２２】
操作判定部６は、電源釦、レリーズ釦、再生釦、モード釦等の操作部材のユーザによる操作状態を判定し、画像処理及び制御部１に判定結果を出力する。前述の画像処理及び制御部１は、操作部材の操作状態に応じて、所定のシーケンスで撮影や再生の制御を行う。なお、モード釦によって半水中モードの設定を行うことができる。この半水中モードは、カメラ１０が水上と水中の境にある場合、水中の被写体と水上の被写体の両方を同時に撮影するモードである。
【００２３】
加速度検知部７は、６軸センサ等を有し、カメラ１０の３軸方向や３軸周り等の加速度を検出し、重力方向を検知することにより、カメラ１０の姿勢も検知する。加速度検知部７の検出出力に基づいて、手振れ補正等を行う。記録部４は、レリーズ釦によって撮影の指示がなされた際に、撮像部２によって取得され、画像処理及び制御部１によって圧縮処理された静止画や画像データを記録する。時計部９は、計時動作を行い、撮影日時情報を出力する。この撮影日時情報は、静止画や動画の画像データを記録部６に記録する際に合わせて記録する。
【００２４】
表示部８は、カメラ１０の背面等に配置された液晶パネル等の表示画面を有し、撮影前のライブビュー表示や、記録済みの画像の通常再生表示や、カメラ情報の表示等を行う。撮影者はライブビュー表示を観察し、構図やタイミングを決定することができる。なお、本実施形態におけるカメラ１０の撮影レンズは、カメラ本体の正面であって、重心方向に対して略真ん中付近に配置され、また表示部８の表示画面は背面の略全体に配置されている。
【００２５】
次に、図２乃至図８を用いて、本実施形態における半水中モードでの撮影について説明する。図２は半水中モードで撮影するとき被写体であり、水上に被写体２３の顔、浮き輪、水草２７等の風景があり、また水中には魚２４等の生物がある。このような水上と水中の両方の風景を撮影することを、本明細書では「半水中撮影」と呼ぶ。
【００２６】
半水中撮影を行う場合には、撮影者２１は、図６（ａ）、図７（ａ）、図８（ａ）に示すように、空気中に顔を出し撮影を行うことを一般的には望む。水中に顔を入れたまま撮影するのでは、息が続かないことから撮影に集中することができず、また、酸素ボンベを装着して行うのでは、撮影を手軽に楽しむことができないからである。
【００２７】
このような半水中撮影における光学的な関係を図３に示す。水面が静止し、かつ水平であっても、水中と水上では屈折率が相違している。水上と水中を比較すると、水中では息が続かなく、また浮力で安定せず、さらに魚などが活発に動くので、自由度は水上の方が高い。そこで、水上の被写体に対して優先的にピント合わせを行い、水中にもなるべくピントがあうようなオートフォーカスを行うのが良い。
【００２８】
図３において、カバーガラス２ｂ、撮影レンズ２ｃ、撮像素子２ｄは、カメラ１０の撮像部２を構成している。いま、撮影レンズ２ｃの光軸が水面３１と一致している場合を想定する。光線２５ａは、被写体２３から出射し、水上を通り、カバーガラス２ｂ、撮影レンズ２ｃを通過して撮像素子２ｄ上に結像する。撮影レンズ２ｃが、水上を通った光線２５ａに対してピントが合う位置に有る場合、被写体２３より遠方から水中を通って来る光線２５ｃが撮像素子２ｄ上で結像し、被写体２３から出射した光線２５ｂは撮像素子２ｄ上では結像しない。これは、空気（水上）と水（水中）の屈折率が相違するためである。
【００２９】
従って、撮影レンズ２ｃを単純に水上の被写体２３に対してピント合わせを行うと、水の屈折率によって、水中の被写体２３は手前に見えることから、水中に有るものは人物被写体２３よりも後ろにピントが合ってしまう。このことは、人物である被写体２３の手前にある魚２４には、ピントが合わなくなる傾向になることから、都合がよくない。また、水中は、水の透明度の関係から、遠景は写り難いので、その意味でも都合がよくない。
【００３０】
そこで、本実施形態においては、半水中撮影の場合には、水上でのピント合わせ結果を優先するが、そのまま使用するのではなく、図４に示すように、水上のピント合わせ結果より近い距離ピントを合わせるように撮影レンズ２ｃを繰り出すようにしている。これによって、水上と水中のピントのバランスをとることができる。
【００３１】
通常の自動焦点調節は、前述したように画像処理及び制御部１によって画像データの高周波成分を抽出し、この高周波成分がピーク値となるように、撮像部２の撮影レンズの位置を調節している。半水中モードが設定された場合には、画像処理及び制御部１は、水上を通ってきた被写体光束を用いて、高周波成分のピーク値となる位置を検出するが、この位置は水上の被写体に対して合焦位置であることから、この位置よりも、所定値だけ繰り出した位置となるように制御する。このときの水中でのピント位置は、水上で得られた被写体距離に対して、水の屈折率１．３３を用いて補正した値とする。
【００３２】
以上の半水中撮影における説明は、水面３１に波がない場合であったが、波があると被写体２３からカメラ１０に到達する光線が水面３１で乱れて像を結ばなくなる。すなわち、図５に示すように、水面３１に波があると、撮影レンズ２ｃに入射する光線２５ｄ、２５ｅは乱れてしまい、撮影レンズ２ｃによって結像されない。
【００３３】
例えば、図６（ａ）に示すように、撮影者２１が水の中に入り、カメラ１０で水上と水中を撮影する場合を想定する。図６（ａ）に示す状態では、光線２５ｆと光線２５ｇの間の光線は波に邪魔されず、撮影レンズ２ｃによって結像されるが、光線２５ｇと光線２５ｈの間の光線は波に邪魔されて、撮影レンズ２ｃによって結像されない。このため、図６（ｂ）に示すように、水中にあたる撮影画像の下半分には被写体像が形成されない。
【００３４】
また、図７（ａ）に示す状態では、光線２５ｇと光線２５ｈの間の光線は波に邪魔されず、撮影レンズ２ｃによって結像される。しかし、光線２５ｆと光線２５ｇの間の光線は波に邪魔されて、撮影レンズ２ｃによって結像されない。このため、図７（ｂ）に示すように、水上にあたる撮影画像の上半分には被写体像が形成されない。
【００３５】
上述の説明では水面３１に波が有る場合であったが、波が小さくても、撮影者２１の手振れが有る場合には、被写体像が形成されない部分が発生し、手振れと共にその部分が変化する。従って、水面３１が不安定な状態では、被写体２３と撮影者２１の位置関係等が頻繁に変化し、ベストなタイミングで撮影することが極めて困難である。
【００３６】
そこで、本実施形態においては、水面３１に波が有る場合等、水面が不安定な撮影にも対応できるようにしている。すなわち、図８に示すように、水面３１の近傍のみの画像が消失し、水上と水中の両方の被写体の画像が形成されたタイミングで撮影を行うようにしている。
【００３７】
図８に示す状況では、光線２５ｇと光線２５ｈの光線は水面３１の波によって乱れるために、図８（ｂ）に示す撮影画像中、境界帯２８となって、画像が形成されない。しかし、光線２５ｆと光線２５ｇの間の光線によって撮影画面の上側の画像が結像し、光線２５ｈと光線２５ｉの間の光線によって撮影画面の下側の画像が結像する。したがって、本実施形態においては、図８（ｂ）に示すように、撮影画面の中央付近の境界帯２８には画像が形成されないが、水上と水中の画像が形成されるタイミングで撮影を行うようにしている。
【００３８】
次に、本実施形態の動作について、図９及び図１０に示すフローチャートを用いて説明する。これらのフローは、予め記憶されているプログラムに基づいて、画像処理及び制御部１によって実行される。
【００３９】
図９に示す撮影のフローに入ると、まず、撮影モードか否かの判定を行う（Ｓ１）。この判定の結果、撮影モードでなかった場合には、次に、再生モードか否かの判定を行う（Ｓ３１）。再生モードは、再生釦を操作することによって設定されるので、このステップでは、操作判定部６によって再生釦が操作されたか否かを判定する。
【００４０】
ステップＳ３１における判定の結果、再生モードが設定されていた場合には、画像再生を行う（Ｓ３２）。ここでは、記録部４に記録されている画像データを読出し、画像処理及び制御部１において画像処理を行った後、表示部８に画像を再生表示する。画像再生を行うと、またはステップＳ３１における判定の結果、再生モードでなかった場合には、次に、終了か否かの判定を行う（Ｓ３３）。カメラの動作を終了させるには、電源釦を操作するので、ここでは、操作判定部６によって電源釦が操作されたか否かを判定する。この判定の結果、終了でなかった場合には、ステップＳ１に戻る。一方、終了であった場合には、終了処理を行った後、撮影のフローを終了する。
【００４１】
ステップＳ１における判定の結果、撮影モードであった場合には、次に、ライブビュー表示を行う（Ｓ２）。ここでは、撮像部２からの出力される画像データに基づいて、被写体像を表示部８に表示するので、撮影者はこのライブビュー表示を観察しながら構図の設定を行うことができる。
【００４２】
ライブビュー表示を行うと、次に、半水中モードか否かの判定を行う（Ｓ３）。撮影者が半水中モードで撮影を行う場合には、メニュー画面等において、半水中モードを設定するので、このステップでは、操作判定部６によって半水中モードが設定されたか否かの判定を行う。
【００４３】
ステップＳ３における判定の結果、半水中モードが設定されていなかった場合には、半水中モードではなく通常の撮影モードであることから、次に、画面中央でピント合わせを行う（Ｓ４）。ここでは、撮像部２から出力される画像データに基づいてピント制御部１ｃが画像データの高周波成分を抽出し、この高周波成分がピーク値となるように、ピント合わせ部２ａによって自動焦点調節を行う。ピント合わせを行うと、次に、通常撮影を行う（Ｓ５）。ここでは、レリーズ釦が操作された際には、撮像部２から出力される画像データを画像処理及び制御部１によって画像処理を行った後、記録部４に記録を行う。通常撮影を行うと、ステップＳ１に戻る。
【００４４】
ステップＳ３における判定の結果、半水中モードであった場合には、以下、半水中撮影を行う。まず、画面上部でピント合わせを行う（Ｓ１１）。ここでは、撮像部２から出力される画像データの内、水上に相当する撮影画面の上部に相当する画像データを用いてピント合わせを行う。なお、本実施形態における半水中モードでのピント合わせの基本的考え方は、人物である被写体の水中での位置にピントが合うようにし、かつ水の屈折率を考慮してピント位置を補正している。このようなピント合わせを行うことによって、人物の水中の位置にピントが合い、また、人物の手前の魚等の被写体と水上の身体部分のピントのバランスをとることができる。
【００４５】
このため、いきなり水中の被写体にピント合わせを行うのではなく、まず、ステップＳ１１において水上の人物である被写体にピントを合わせた後、後述するステップＳ１４において水の屈折率を考慮した被写体距離の換算距離を求め、ピント合わせを行うようにしている。なお、本実施形態においては、先に水上で被写体距離を求めているのは、水中では暗い場合や、コントラストが低い場合や、浮遊物が漂っている場合等が多いことから、信頼性の高い水上での被写体距離を求め、続いて、水中での距離に変換することによって信頼性を確保するためである。
【００４６】
ステップＳ１１において画面上部でピント合わせを行うと、次に、被写体距離換算Ｌを求める（Ｓ１２）。ここでは、ピント合わせ部２ａによってピント合わせが行われ、ピントが合った状態で、撮影レンズ２ｃのピント位置から被写体距離換算Ｌを求める。被写体距離換算Ｌを求めると、次に、被写体距離換算Ｌが３ｍより近いか否かの判定を行う（Ｓ１３）。
【００４７】
ステップＳ１３における判定の結果、被写体距離換算Ｌが３ｍより近かった場合には、次に、ピント合わせ距離Ｌを、水の屈折率である１．３で除算する（Ｓ１４）。このステップでは、前述したように、水上での被写体距離から水中での被写体距離に変換している。
【００４８】
一方、ステップＳ１３における判定の結果、被写体距離換算Ｌが３ｍより遠かった場合には、画面下部でピント合わせを行う（Ｓ１５）。水上が風景の場合があり、この場合に、被写体距離は無限遠であることが多く、無限遠を基準に水中での距離を決めると、水中で光の届く範囲の被写体に対してピントが合わないことになる。そこで、水中の被写体に対してピントを合わせることにし、画像データの内、画面下部に対応する画像データに基づいてピント合わせを行う。
【００４９】
ステップＳ１４またはステップＳ１５においてピント合わせの距離を求めると、次に、レリーズか否かの判定を行う（Ｓ２１）。レリーズはレリーズ釦を操作することによって開始するので、ここでは、操作判定部６によってレリーズ釦の操作状態を判定する。この判定の結果、レリーズではなかった場合には、ステップＳ１に戻る。
【００５０】
ステップＳ２１における判定の結果、レリーズであった場合には、半水中判別を行う（Ｓ２２）。半水中判別では、画像データに基づいて、半水中の状態になっているか否かの判定を行う。本実施形態においては、コントラストの低い部分が画面の中央部にあり、しかも水平方向に画面を横断しているか否かを判定することによって行う。この半水中判別の詳しい動作については、図１０を用いて後述する。
【００５１】
半水中判別を行うと、次に、半水中か否かの判定を行う（Ｓ２３）。ここでは、ステップＳ２２における判別結果に基づいて判定する。この判定の結果、半水中でなかった場合には、ステップＳ２１に戻る。一方、判定の結果、半水中であった場合には、撮影および記録を行う（Ｓ２４）。ここでは、撮像部２から出力される画像データを画像処理及び制御部１によって画像処理を行った後、記録部４に記録する。撮影及び記録が終わると、ステップＳ１に戻る。
【００５２】
本実施形態においては、半水中モードが設定され、レリーズがなされた場合には、ステップＳ２２における半水中判別によって半水中と判別されるまでは、撮影及び記録を行うことはない。つまり、図６や図７に示すような画面の上部のみまたは下部のみしか画像が形成されない場合、言い換えると、水上のみの画像場合や水中のみの画像の場合には、レリーズを禁止し、図８に示すような画面の上部および下部に画像が形成される場合にのみレリーズを許可するようにしている。なお、レリーズ禁止状態が続き撮影を終了したい場合には、レリーズ釦から手を離すことにより、ステップＳ１に戻り、最初からやり直すことができる。
【００５３】
次に、ステップＳ２２における半水中判別の動作について、図１０に示すフローチャートを用いて説明する。半水中判別のフローに入ると、まず、画面中央部にローコン域があるか否かの判定を行う（Ｓ４１）。ここでは、撮像部２から出力される画像データの内、画面中央部の画像データを用いて、画像処理及び制御部１がローコントラストであるか否かの判定を行う。
【００５４】
ステップＳ４１における判定の結果、画面中央部にローコン域があった場合には、次に、上下判定を行う（Ｓ４２）。ここでは、加速度検知部７の検知出力を用いて、カメラ１０が縦位置にあるか横位置にあるかを検出し、上下方向（重力方向）を判定する。続いて、水平ローコン域が画面を横断しているか否かの判定を行う（Ｓ４３）。ステップＳ４１およびＳ４２における判定結果に基づいて、カメラ１０の水平方向にローコン域があり、しかも画面を横断しているか否かの判定を行う。
【００５５】
ステップＳ４３における判定の結果、水平ローコン域が画面を横断していた場合には、半水中と判定する（Ｓ４４）。この場合は、図８（ｂ）に示すように、画面中央部であって、かつ水平方向（水面の方向）に境界帯２８が生じている状態である。このような状態は、画面の上部と下部にそれぞれ被写体像が形成されており、言い換えると、水上と水中の両方の画像が形成されており、半水中撮影を行うことができる。このステップで半水中と判定されると、前述のステップＳ２３において半水中と判定され、ステップＳ２４において撮影および記録がなされる。
【００５６】
一方、ステップＳ４３における判定の結果、水平ローコン域が画面を横断していなかった場合、またはステップＳ４１における判定の結果、画面中央部にローコン域がなかった場合には、非半水中と判定する（Ｓ４５）。この場合には、通常撮影の場合のように画面中央にローコン域がない場合や、またローコン域があっても図６（ｂ）や図７（ｂ）のように、画面上部全体や下部全体にローコン域がある場合であって、半水中撮影に適さない状態である。このステップで非半水中と判定されると、前述のステップＳ２３においてＮｏと判定され、ステップＳ２１に戻る。
【００５７】
ステップＳ４４またはステップＳ４５において判定を行うと、元のフローに戻る。このように、半水中判別のフローにおいては、撮像部２から出力される画像データに基づいて、画面中央部にローコン域があり、かつローコン域が水平に画面を横断している場合に、半水中と判定している。
【００５８】
次に、半水中判別の変形例について、図１８および図１９を用いて説明する。水上と水中を同時に観察し、また撮影を行う場合には、図１８に示すように、画面の下部の方が暗くなったり色が変わったりするので、この変化を検知することにより判定するようにしても良い。すなわち、水中では、光線が吸収されるために暗くなり、特に赤い波長は吸収され易いことから、全体的に青みを帯びた色調となる。また、水中には浮遊物が多いことからコントラストが低くなっている。このように、水上と水中では明るさや色調等が異なることから、画像データを分析することにより半水中であるか否かの判定が可能である。
【００５９】
図１９に示すフローチャートでは、上述の考え方に沿って半水中であるか否かの判定を行う。この半水中判別のフローチャートは、図１０に示したフローの変形例であり、このフロー以外は第1実施形態と同様である。
【００６０】
半水中判別のフローに入ると、まず、画面中央部にコントラスト変化があるか否かの判定を行う（Ｓ７１）。半水中状態では、画面中央部に水の境界（水面３１）にあることから、この影響でコントラストの変化域がある。このステップでは、撮像部２から出力される画像データに基づいて、画像処理及び制御部１が、画面の中央部にコントラストの変化が有るか否かの判定を行う。
【００６１】
ステップＳ７１における判定の結果、画面中央部にコントラスト変化が有った場合には、次に、コントラスト変化境界が画面を横断しているか否かの判定を行う（Ｓ７２）。半水中状態では水面３１が画面を横断することから、ここでは、ステップＳ７１において検知されたコントラスト変化域が画面を横断しているか否かの判定を行う。
【００６２】
ステップＳ７２における判定の結果、コントラスト変化境界が画面を横断していた場合には、次に、上下明暗比較を行う（Ｓ７３）。ここでは、画像データに基づいて、ステップＳ７１において検知されたコントラスト変化域より上と下において、それぞれ平均的な明るさを算出する。
【００６３】
続いて、ローコン域の下の方が暗いか否かの判定を行う（Ｓ７４）。前述したように、半水中状態の場合には、水中すなわちローコン域より下部の方が上部より暗くなる。そこで、ステップＳ７３において求めた上部と下部の明るさを比較し、下部の方が暗いか否かの判定を行う。
【００６４】
ステップＳ７４における判定の結果、ローコン域の下部の方が暗かった場合には、次に、上下の色調を比較する（Ｓ７５）。ここでは、画像データのＲＧＢ成分等、色に関する情報を用いて、ローコン域より上部と下部の平均的な色調を算出する。続いて、ローコン域より下部に赤成分が少ないか否かの判定を行う（Ｓ７６）。前述したように、水中では赤い波長は吸収されやすいことから赤成分が少なくなる。そこで、ステップＳ７５において算出した色調に関するデータを比較し、下部の赤成分が少ないか否かを判定する。
【００６５】
ステップＳ７６における判定の結果、下部の赤成分が少なかった場合には、ステップＳ４４（図１０参照）と同様に、半水中と判定する。一方、ステップＳ７１、Ｓ７２、Ｓ７４、Ｓ７６のいずれかにおいて、Ｎｏと判定された場合には、ステップＳ４５と同様に、非半水中と判定する。ステップＳ７７において半水中と判定されると、またはステップＳ７８において非半水中と判定されると、図９に示すメインのフローに戻る。
【００６６】
このように、本変形例においては、画面中央のローコン域より上部と下部における明暗および色調を比較し、半水中状態にあるか非半水中状態であるかを判定している。このため、図１０に示した半水中判別に比較し、より精度の高い判定を行うことができる。なお、本変形例においては、明暗と色調の両方について判定していたが、いずれか一方でも勿論かまわない。また、上部と下部のコントラストを比較するようにしても良い。
【００６７】
以上説明したように、本発明の第１実施形態においては、水中および水上の両方の被写体像を取得可能であるかを検知し、この検知結果に応じて、被写体像を撮影するタイミングを決定している。このため、水面に波が生じている場合であっても、水中と水上の両方を撮影することが可能となる。
【００６８】
また、本実施形態においては、 水中および水上の両方の被写体像を取得可能であるか検知するにあたって、撮像部２から出力される画像データに基づいて、水面によって生ずる画像の乱れを検知するようにしているので、特別な構成部材を追加する必要がなく、カメラを小型化することができる。
【００６９】
次に、本発明の第２実施形態について、図１１ないし図１３を用いて説明する。第１実施形態におけるカメラは、半水中になったタイミングで撮影を行っていた。第２実施形態は本発明を携帯電話に適用した例であり、半水中になったタイミングで取得した画像を表示部に表示するようにしている。
【００７０】
本実施形態における携帯電話１５は、防水構造が採用されており、水中においてもその機能を実行することができる。図１１は、折り畳み式の携帯電話１５の使用者２２が、携帯電話１５のカメラ部１７を水中に入れ、水上に出ている表示部１６によって水面に浮いている亀２６を観察している様子を示している。
【００７１】
この場合も、図６（ａ）、図７（ａ）、図８（ａ）に示した場合と同様に、水面３１に生ずる波によって一部の画像が形成されない。すなわち、図１１に示す状態では、光線２５ｆと光線２５ｇの間の光線によって画面上部（水上）の画像が形成され、光線２５ｈと光線２５ｉの光線によって画面下部（水中）の画像が形成される。しかし、構成２５ｇと光線２５ｈの間の光線は水面３１の波によって邪魔されるため画像が形成されない。
【００７２】
図１１に示す状態における画像は、図１２（ａ）に示すように、画面の略中央に水平方向に沿って横断するように境界帯２８の部分がある。この境界帯２８には画像が形成されないが、画面の上部と下部には被写体である亀２６の画像が形成される。しかし、水上からの光線が携帯電話１５のカメラ部１７に届かない場合には、図１２（ｂ）に示すように、画面の上部には亀２６の画像が形成されない。また、水中での光線がカメラ部１７に届かない場合には、図１２（ｃ）に示すように、画面の下部には亀２６の画像が形成されない。
【００７３】
このように、水面３１の波の状態によって携帯電話１５の表示部１６には、図１２（ａ）〜（ｃ）の画像が次々に表示されるが、このような画像の変化は大変見苦しい。そこで、本実施形態においては、図１２（ａ）に示すような画面の上部と下部に画像が表示されるタイミングの画像を表示部１６に表示し、図１２（ｂ）（ｃ）に示すような画面の上部や下部のみの画像の場合には、表示部１６に表示しないようにしている。
【００７４】
このような表示を行うことのできる本実施形態に係わる携帯電話１５の構成は、図１１に示すように、表示部１６とカメラ部１７が折り畳み自在である。また、内部の電気的構成は、基本的には図１に示したカメラ１０の場合と同様であるので、その詳しい説明は省略する。
【００７５】
次に、本実施形態の動作について、図１３に示す表示制御のフローチャートを用いて説明する。このフローも、図示しない記憶部に記憶されたプログラムに従って、画像処理及び制御部１によって実行される。表示制御のフローに入ると、まず、水平ローコン域が有るか否かの判定を行う（Ｓ５１）。ここでは、撮像部２から出力される画像データに基づいて、画面の水平方向に沿って、ローコントラストの領域があるか否かを判定する。
【００７６】
ステップＳ５１における判定の結果、水平ローコン域があった場合には、次に、上下判定を行う（Ｓ５２）。ここでは、加速度検知部７の検知出力に基づいて、携帯電話１５の上下方向（重力方向）を判定する。続いて、水平ローコン域は画面を横断しているか否かの判定を行う（Ｓ５３）。ここでは、ステップＳ５１において判定した水平ローコン域が、画面を横断しているか否かを判定する。
【００７７】
ステップＳ５３における判定の結果、水平ローコン域が画面を横断していた場合には、次に、水平ローコン域は画面中央のみか否かを判定する（Ｓ５４）。ここでは、水平ローコン域が、図１２（ａ）に示すように、画面中央のみかを判定し、図１２（ｂ）（ｃ）に示すように、画面中央以外にもある場合には、Ｎｏと判定する。
【００７８】
ステップＳ５４における判定の結果、水平ローコン域は画面中央のみであった場合には、次に、表示を行う（Ｓ５５）。ここでは、撮像部２から出力される画像データに基づいて、表示部１６に表示する。ここに表示される画像は図１２（ａ）に示すように、表示部１６の画面の上部および下部の両方に画像が表示される。続いて、ステップＳ５５において表示した画像の画像データを仮記憶する（Ｓ５６）。仮記憶は、画像処理及び制御部１内の図示しない仮記憶部に記憶する。
【００７９】
ステップＳ５４における判定の結果、水平ローコン域が画面中央のみでなかった場合には、次に、仮記憶画像の表示を行うと共に警告表示を行う（Ｓ５８）。ステップＳ５４の判定結果によれば、図１２（ｂ）（ｃ）に示すように、画像の上部または下部には画像が形成されておらず、このような画像を表示部１６に表示しても見苦しいので、ステップＳ５６において仮記憶された画像を表示する。この画像は、ステップＳ５５において表示したものであり、画面の上部（水上）および下部（水中）の画像が形成されている。また、仮記憶画像を表示したことから、「水面が安定していません」等の警告表示を行う。
【００８０】
ステップＳ５１における判定の結果、水平ローコン域がなかった場合、またはステップＳ５３における判定の結果、水平ローコン域は画面を横断していなかった場合には、全ての画像を表示する（Ｓ５７）。この状態は、水上のみの撮影や、水中のみの撮影である可能性が高いことから、画像全体を表示する。
【００８１】
ステップＳ５６において仮記憶すると、またはステップＳ５８において仮記憶画像の表示と警告表示を行うと、またはステップＳ５７において全ての画像を表示すると、元のフローに戻る。
【００８２】
以上、説明したように、本発明の第２実施形態においては、水中および水上の両方の画像を取得可能であるかを検知し、この検知結果に応じて、画像を表示するタイミングを決定している。このため、水面に波が生じている場合であっても、水中と水上の両方の画像を表示することが可能となる。
【００８３】
また、本実施形態においては、ステップＳ５５において表示した際の画像データを仮記憶する仮記憶部を有しており、表示タイミング以外の期間においては、仮記憶部に記憶された画像データに基づいて、表示部１６に表示を行うようにしている。このため、半水中表示に適さない期間においても、仮記憶された画像が表示されるので、画面が見苦しくなることがない。
【００８４】
次に、本発明の第３実施形態について、図１１ないし図１７を用いて説明する。第１および第２実施形態においては、半水中になるタイミングを撮像部２から出力される画像データに基づいて判定していた。第３実施形態においては、カメラ１０に半水中状態になったことを検知するセンサを設けて、半水中の判定を行うようにしている。
【００８５】
本実施形態におけるカメラ１０は、防水機構を備えたデジタルカメラである。カメラ１０の上面には、図１４（ａ）に示すように、操作部を構成するレリーズ釦９ａが配置されている。また、カメラ１０の正面の左上には、ストロボ部５を構成するメインストロボ５ａが配置され、また右下にはサブストロボ５ｂが配置されている。サブストロボ５ｂは、カメラ１０が半水中にある場合に、水中の被写体に対して補助光を投射する。さらに、カメラ１０の正面右上側には撮影レンズ鏡筒２ｅが配置されており、この内部にカバーガラス２ｂ、撮影レンズ２ｃ等が設けられている。
【００８６】
撮影レンズ鏡筒２ｅの内側であって、水中に露呈可能な位置に、図１４（ｂ）に示すように、半水中状態か否かを検知するためのセンサ部３のセンサ部窓３ｅが配置されている。センサ部３は、図１４（ｃ）に示すように、投光素子３ａ、受光素子３ｂ、センサ部窓３ｅからなる第１の投受光部と、投光素子３ｃ、受光素子３ｄ、センサ部窓３ｅからなる第２投受光部から構成されている。投光素子３ａ、３ｃは、いずれも赤外線を投光し、受光素子３ｂ、３ｄはいずれも赤外線を検知することができる。また、投光素子３ａの投光方向と、投光素子３ｃの投光方向は、共に平行であり、カメラ１０を横位置に把持し水面３１に下げた場合には、投光方向は水面３１に対しても平行となる。
【００８７】
このように第１及び第２の投受光部が構成されているので、撮影レンズ２ｃが水上に有る場合には、投光素子３ａ、３ｃからの投光は、いずれも受光素子３ｂ、３ｄに到達し、検知信号を出力する。また、撮影レンズ２ｃが水中に有る場合には、投光素子３ａ、３ｃからの投光は、いずれも受光素子３ｂ、３ｄに到達せず、検知信号は出力されない。水中においては、赤外光は吸収されてしまい、受光素子には到達しないからである。
【００８８】
撮影レンズ２ｃの光軸付近を境に、第１の投受光部が水上にあり、第２の投受光部が水中にある半水中状態になると、投光素子３ａからの投光は受光素子３ｂに到達し、検知信号を出力する。しかし、投光素子３ｃからの投稿は受光素子３ｄに到達することがなく、検知信号が出力されない。このため、投光素子３ａ、３ｂを投光させた状態で、受光素子３ｂ、３ｄの検知信号を判定することにより、半水中状態か否かを判定することができる。
【００８９】
図１４に示すように、撮影レンズ鏡筒２ｅの回りにセンサ部３を配置し、図１６に示すように、撮影者２１はカメラ１０を水中に沈め、このとき第１及び第２の投受光部によって、それぞれの投受光部が水中にあるかを検知すると、半水中状態にあるか否かを判定することができる。
【００９０】
本実施形態に係わるカメラ１０の電気的構成は、センサ部３が、前述したように第１及び第２の投受光部を有しており、ストロボ部５がメインストロボ５ａとサブストロボ５ｂを有している点を除けば、基本的には図１に示したカメラ１０の場合と同様であるので、その詳しい説明は省略する。
【００９１】
次に、本実施形態の動作について、図１７に示す半水中判別撮影のフローチャートを用いて説明する。このフローも、図示しない記憶部に記憶されたプログラムに従って、画像処理及び制御部１によって実行される。半水中判別撮影のフローに入ると、まず、レリーズがなされたか否かの判定を行う（Ｓ６１）。撮影者２１がレリーズ釦９ａを操作すると、レリーズがなされるので、このステップでは、操作判定部６によってレリーズ釦９ａの操作状態を判定する。
【００９２】
ステップＳ６１における判定の結果、レリーズがなされた場合には、次に、第１の投受光部によって赤外光通信が可能か否かの判定を行う（Ｓ６２）。ここでは、投光素子３ａおよび受光素子３ｂからなる第１投受光部によって赤外光通信が可能であるか、すなわち、受光素子３ｂによって投光素子３ａから投光された赤外光を受光したか否かを判定する。
【００９３】
ステップＳ６２における判定の結果、第１の投受光部によって赤外光通信が可能であった場合には、次に、第２の投受光部によって赤外光通信が可能であるか否かの判定を行う（Ｓ６３）。ここでは、投光素子３ｃおよび受光素子３ｄからなる第２投受光部によって赤外光通信が可能であるか、すなわち、受光素子３ｄによって投光素子３ｃから投光された赤外光を受光したか否かを判定する。
【００９４】
ステップＳ６１における判定の結果、レリーズされていなかった場合、またはステップＳ６２における判定の結果、第１の投受光部による赤外光通信が可能でなかった場合、またはステップＳ６３における判定の結果、第２の赤外光通信が可能であった場合には、ステップＳ６１に戻る。ステップＳ６２における判定の結果、第１の投受光部によって赤外光通信が可能でなかった場合には、カメラ１０全体が水中に有る場合であり、またステップＳ６３における判定の結果、第２の投受光部によって赤外光通信が可能であった場合には、カメラ１０全体が水上に有る場合だからである。これらの場合には、半水中状態となっていないことから、ステップＳ６１に戻り、レリーズ待機状態としている。
【００９５】
ステップＳ６３における判定の結果、第２の投受光部によって赤外光通信が可能でなかった場合には、半水中状態にあることから、半水中判定撮影を行う（Ｓ６４）。ここでは、サブストロボ５ｂによって被写体に補助照明光を照射し、このとき撮像部２から出力される画像データを画像処理及び制御部１によって画像処理した後、記録部４に画像処理された画像データを記録する。半水中判定撮影が終わると、元のメインフローに戻る。
【００９６】
センサ部３は、図１４を用いて説明した構成以外にも、例えば、図１５に示すような構成でも良い。このセンサ部３の変形例では、センサ部窓３ｅに代えて、センサ部プリズム３ｆを配置している。また、投光素子３ａ、３ｃは、図１４（ｃ）の場合に比較し、水中でも減衰しない程度に強度を上げて赤外発光を行う。前述のセンサ部プリズム３ｆは、撮影レンズ鏡筒２ｅにおいて投光素子３ａ、３ｃ、受光素子３ｂ、３ｄの前面に配置されており、撮影レンズ鏡筒２ｅが水中にある場合に、プリズムと水の屈折率の関係により、投光素子３ａ、３ｃからの赤外光が、受光素子３ｂ、３ｃに到達するように、プリズムの角度が設定されている。
【００９７】
このようにセンサ部３の変形例は構成されているので、撮影レンズ鏡筒２ｅが水上に有る場合には、受光素子３ｂ、３ｄのいずれも赤外光を受光せず、検知信号を出力しない。また、撮影レンズ鏡筒２ｅが水中に有る場合には、受光素子３ｂ、３ｄの両方とも赤外光を受光し、検知信号を出力する。そして、撮影レンズ鏡筒２ｅが半水中に有る場合には、受光素子３ｂは赤外光を受光せず、受光素子３ｄが赤外光を受光し、この受光素子３ｄのみが検知信号を出力する。従って、受光素子３ｂ、３ｄの検知信号を判定することにより、半水中にあるか否かの判定を行うことができる。
【００９８】
以上、説明したように、本発明の第３実施形態およびその変形例においては、水中および水上の両方の被写体像を取得可能であるかを検知し、この検知結果に応じて、水中および水上の両方の被写体像を撮影するタイミングを決定している。このため、水面に波が生じている場合であっても、水中と水上の両方を表示することが可能となる。
【００９９】
また、本実施形態においては、撮影レンズの周辺にセンサ部３を設け、このセンサ部３の検知信号に基づいて、半水中に有るか否かの判定を行っている。このため、直接、水の存在を検知することから、検知精度を向上させることができる。
【０１００】
なお、本実施形態においては、撮影レンズの周辺に配置するセンサ部３として、赤外光通信によって検知するようにしていたが、可視光によって検知するようにしても良い。また、光通信以外にも、例えば、水の導電性を利用する等、他のセンサによって検出するようにしても良い。また、カメラ１０の縦位置や横位置等、把持の変化に応じて、センサ部を切り換えるようにしても構わない。
【０１０１】
以上説明したように、本発明の各実施形態においては、撮像部２から出力される画像データや、センサ部３の検知信号に基づいて、水中および水上の両方の画像（被写体像を含む）を取得可能であるかを検知している。そして、この検知結果に応じて、水中および水上の両方の画像を撮影したり、また表示するタイミングを決定している。このため、水面に波が生じている場合であっても、水中と水上の両方を撮影したり、表示することが可能となる。
【０１０２】
なお、本発明の第１および第３実施形態においては、撮影のタイミングを決定するものであり、第２実施形態においては、表示のタイミングを決定するものであったが、両者を兼ね備えるようにしても良い。
【０１０３】
また、本発明の第１及び第３実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯情報端末（ＰＤＡ：Personal Digital Assist）、ゲーム機器等に内蔵されるカメラでも構わない。いずれにしても、防水機構を有し、水中で使用できる撮影装置であれば良い。
【０１０４】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１０５】
１・・・画像処理及び制御部、１ａ・・・画像変換部、１ｂ・・・表示制御部、１ｃ・・・ピント制御部、１ｄ・・・距離換算部、１ｅ・・・半水中検出部、２・・・撮像部、２ａ・・・ピント合わせ部、２ｂ・・・カバーガラス、２ｃ・・・撮影レンズ、２ｄ・・・撮像素子、２ｅ・・・撮影レンズ鏡筒、３・・・センサ部、３ａ・・・投光素子、３ｂ・・・受光素子、３ｃ・・・投光素子、３ｄ・・・受光素子、３ｅ・・・センサ部窓、３ｆ・・・センサ部プリズム、４・・・記録部、５・・・ストロボ部、５ａ・・・メインストロボ、５ｂ・・・サブストロボ、６・・・操作判定部、７・・・加速度検知部、８・・・表示部、９・・・時計部、９ａ・・・レリーズ釦、１０・・・カメラ、１５・・・携帯電話、１６・・・表示部、１７・・・カメラ部、２１・・・撮影者、２２・・・観察者、２３・・・被写体、２４・・・魚、２５ａ〜２５ｉ・・・光線、２６・・・亀、２７・・・水草、２８・・・境界帯、３１・・・水面
【図１】
0005464958.tif 000002
【図２】
0005464958.tif 000003
【図３】
0005464958.tif 000004
【図４】
0005464958.tif 000005
【図５】
0005464958.tif 000006
【図６】
0005464958.tif 000007
【図７】
0005464958.tif 000008
【図８】
0005464958.tif 000009
【図９】
0005464958.tif 000010
【図１０】
0005464958.tif 000011
【図１１】
0005464958.tif 000012
【図１２】
0005464958.tif 000013
【図１３】
0005464958.tif 000014
【図１４】
0005464958.tif 000015
【図１５】
0005464958.tif 000016
【図１６】
0005464958.tif 000017
【図１７】
0005464958.tif 000018
【図１８】
0005464958.tif 000019
【図１９】
0005464958.tif 000020